(57)【要約】【課題】ユーザ間干渉を低減するＨＳＤＰＡシステム。【解決手段】ＨＳＤＰＡ対応のユーザ機器デバイス（１３０）を用いる無線ネットワーク（１００）において、基地送受信局（１２０）は、他のＨＳＤＰＡ対応のＵＥに対するＨＳＤＰＡ符号の割当ておよび関連する変調技術に関する情報を、各ＨＳＤＰＡ対応のＵＥに伝送する。この追加制御情報を使用して、各ＵＥは、自身の等化器の判定帰還フィルタを、ユーザ間干渉を低減するように設定する。追加の制御情報は、ＨＳＤＰＡ対応のＵＥには既知である共通ＩＤによりマスクされるパケットのＣＲＣを有するＣＲＣ部分（３１０）を含むパケット（３００）で伝送される。追加制御情報を伝送するために必要とされるビット数を低減するために、特定の変調技術において用いられるＨＳＤＰＡ符号が連続的に割当てられる。各変調技術は、開始符号および符号の合計数のみがＵＥに知らせる必要がある。各変調技術において用いられる符号の数は、複数のＴＴＩにおいて一回変更することが可能である。【選択図】      図２
2011151844.tif 000002
【特許請求の範囲】
【請求項１】
無線ネットワークから複数のユーザ機器デバイスにデータを伝送する方法であって、前記方法は、
伝送時間インターバル（ＴＴＩ）に関する第１タイプの制御情報を前記無線ネットワークから前記複数のユーザ機器デバイスの第１ユーザ機器デバイスに伝送することと、ここにおいて、前記第１タイプの制御情報は前記ＴＴＩの間の前記第１ユーザ機器デバイスへのペイロード・データの伝送の符号割当ておよび変調技術の指示を備え、
前記無線ネットワークから少なくとも前記第１ユーザ機器デバイスにメッセージを送ることとを具備し、ここにおいて、前記メッセージは第２タイプの制御情報を備え、前記第２タイプの制御情報は前記ＴＴＩの間に前記複数のユーザ機器デバイスの少なくとも第２ユーザ機器デバイスへのペイロード・データの伝送の符号割当ておよび変調技術に関する情報を備え、前記第２ユーザ機器デバイスは前記第１ユーザ機器デバイスとは異なる、ことを特徴とする方法。
【請求項２】
前記ユーザ機器デバイスは高速データ・パケット・アクセス（ＨＳＤＰＡ）動作用に構成され、
前記ＴＴＩの間の前記第１ユーザ機器デバイスへのペイロード・データの伝送の符号割当ておよび変調技術の前記指示は、前記ＴＴＩの間の前記第１ユーザ機器デバイスへのペイロード・データのＨＳＤＰＡ伝送の符号割当ておよび変調技術の指示を備え、
前記ＴＴＩの間の少なくとも前記第２ユーザ機器デバイスへのペイロード・データの伝送の符号割当ておよび変調技術に関する前記情報は、前記ＴＴＩの間の少なくとも前記第２ユーザ機器デバイスへのペイロード・データのＨＳＤＰＡ伝送の符号割当ておよび変調技術に関する情報を備える、請求項１に記載の方法。
【請求項３】
前記第２タイプの制御情報は、前記複数のユーザ機器デバイスの少なくとも第３ユーザ機器デバイスへの前記ＴＴＩの間のペイロード・データのＨＳＤＰＡ伝送の符号割当ておよび変調技術に関する情報をさらに備え、ここにおいて、前記第３ユーザ機器デバイスは前記第１および第２ユーザ機器デバイスとは異なる、請求項２に記載の方法。
【請求項４】
前記第２タイプの制御情報は、前記第１ユーザ機器デバイスへの前記ＴＴＩの間の前記ＨＳＤＰＡ伝送の前記符号割当ておよび変調技術に関する情報をさらに備え、
少なくとも前記第１ユーザ機器デバイスに前記メッセージを前記送るステップは、前記第２および第３ユーザ機器デバイスに前記メッセージを送ることを備える、
請求項３に記載の方法。
【請求項５】
高速ダウンリンク共有チャネル（ＨＳ−ＤＳＣＨ）上で前記ＴＴＩの間に前記無線ネットワークの第１基地送受信局から前記第１、第２および第３ユーザ機器デバイスにペイロード・データを伝送することをさらに備え、ここにおいて、前記第１タイプの制御情報を前記送るステップおよび前記伝送するステップは、高速共有制御チャネル（ＨＳ−ＳＣＣＨ）上で実行される、請求項４に記載の方法。
【請求項６】
前記複数のユーザ機器デバイスは、少なくとも３つのユーザ機器デバイスを備え、
前記第２タイプの制御情報は、前記ＴＴＩの間の前記複数のユーザ機器デバイスの各ユーザ機器デバイスへのペイロード・データのＨＳＤＰＡ伝送の符号割当ておよび変調技術に関する情報を備え、
少なくとも前記第１ユーザ・デバイスに前記メッセージを前記送るステップは、前記各ユーザ機器デバイスに前記メッセージを送ることを備える、
請求項２に記載の方法。
【請求項７】
高速ダウンリンク共有チャネル（ＨＳ−ＤＳＣＨ）上で前記ＴＴＩの間に前記無線ネットワークの第１基地送受信局から前記各ユーザ機器デバイスにペイロード・データを伝送することをさらに備える、請求項６に記載の方法。
【請求項８】
前記第１タイプの制御情報を前記伝送するステップは、（１）第１データ部分、および（２）前記第１ユーザ機器デバイスの専用ユーザ識別子（ＩＤ）を用いてマスクされる第１エラー検出部分を送ることを備え、ここにおいて、前記第１エラー検出部分は前記第１データ部分から導き出され、
前記各ユーザ機器デバイスへの前記メッセージは、（１）第２データ部分、および（２）共通ユーザＩＤを用いてマスクされる第２エラー検出部分を備え、ここにおいて、前記共通ユーザＩＤは前記各ユーザ機器デバイスには既知である、請求項７に記載の方法。
【請求項９】
前記第１データ部分の巡回冗長検査（ＣＲＣ）を計算することと、
前記第１データ部分の前記ＣＲＣおよび前記第１ユーザ機器デバイスの前記専用ユーザＩＤに排他的論理和演算を実行して、前記第１ユーザ機器デバイスの前記専用ユーザＩＤを用いてマスクされる前記第１エラー検出部分を得ることと、
前記第２データ部分のＣＲＣを計算することと、
前記第２データ部分の前記ＣＲＣおよび前記共通ユーザＩＤに排他的論理和演算を実行して、前記共通ユーザＩＤでマスクされる前記第２エラー検出部分を得ることと、
をさらに備える、請求項８に記載の方法。
【請求項１０】
前記ＨＳ−ＤＳＣＨ上での前記ＴＴＩの間の伝送に対してＨＳＤＰＡ符号を割当て、これにより各変調技術と関連付けられるＨＳＤＰＡ符号は、符号の所定の順序に関して連続的に割当てられることをさらに備え、ここにおいて、前記所定の順序は、前記各ユーザ機器デバイスには既知である、
請求項７に記載の方法。
【請求項１１】
ＱＰＳＫ変調技術と関連付けられるＨＳＤＰＡ符号が符号の所定の順序に関して連続的に割当てられるように、そして１６ＱＡＭ変調と関連付けられるＨＳＤＰＡ符号が前記所定の順序に関して連続的に割当てられるように、前記ＨＳ−ＤＳＣＨ上での前記ＴＴＩの間の伝送に対してＨＳＤＰＡ符号を割当てることをさらに備え、ここにおいて、前記所定の順序は、前記各ユーザ機器デバイスには既知である、
請求項７に記載の方法。
【請求項１２】
前記第２データ部分を生成することをさらに備え、ここにおいて、前記第２データ部分は、前記ＨＳ−ＤＳＣＨ上での前記ＴＴＩの間のＱＰＳＫ変調を用いる伝送に対して割当てられる前記ＨＳＤＰＡ符号の数のＱＰＳＫ指示、および前記ＨＳ−ＤＳＣＨ上での前記ＴＴＩの間の１６ＱＡＭ変調を用いる伝送に対して割当てられる前記ＨＳＤＰＡ符号の数の１６ＱＡＭ指示とを備える、
請求項１１に記載の方法。
【請求項１３】
ＱＰＳＫ変調を用いる伝送に対して割当てられる前記ＨＳＤＰＡ符号の数および１６ＱＡＭ変調を用いる伝送に対して割当てられる前記ＨＳＤＰＡ符号の数を、連続するＴＴＩの所定の数の範囲内で１回だけ変更することを可能にすることをさらに備え、ここにおいて、前記所定の数は１より大きい、
請求項１２に記載の方法。
【請求項１４】
ＱＰＳＫ変調を用いる伝送に対して割当てられる前記ＨＳＤＰＡ符号の数および１６ＱＡＭ変調を用いる伝送に対して割当てられる前記ＨＳＤＰＡ符号の数を、５つのＴＴＩごとに１回だけ変更することを可能にすることをさらに備える、
請求項１２に記載の方法。
【請求項１５】
複数の無線ユーザ機器デバイスと通信するための無線ネットワークにおける基地送受信局であって、前記基地送受信局は、
ダウンリンク・キャリヤにより搬送される第１共有チャネル上で前記複数の無線ユーザ機器デバイスにペイロード・データを伝送するように、そして第２共有チャネル上で前記複数の無線ユーザ機器デバイスに制御情報を伝送するように構成された送信機と、
前記送信機に接続されたプロセッサと、
を具備し、ここにおいて、前記プロセッサは、
前記送信機が、伝送時間インターバル（ＴＴＩ）に関する第１タイプの制御情報を前記複数のユーザ機器デバイスの第１ユーザ機器デバイスに伝送するようにさせように構成され、ここにおいて、前記第１タイプの制御情報は前記ＴＴＩの間の前記第１ユーザ機器デバイスへのペイロード・データの伝送の符号割当ておよび変調技術の指示を備え、
前記送信機が、少なくとも前記第１ユーザ機器デバイスにメッセージを送るようにさせるように構成され、ここにおいて、前記メッセージは第２タイプの制御情報を備え、前記第２タイプの制御情報は前記ＴＴＩの間の前記複数のユーザ機器デバイスの少なくとも第２ユーザ機器デバイスへのペイロード・データの伝送の符号割当ておよび変調技術に関する情報を備え、前記第２ユーザ機器デバイスは前記第１ユーザ機器デバイスとは異なる、ことを特徴とする基地送受信局。
【請求項１６】
前記基地送受信局および前記ユーザ機器デバイスは、高速データ・パケット・アクセス（ＨＳＤＰＡ）動作用に構成され、
前記第１共有チャネルは、高速ダウンリンク共有チャネル（ＨＳ−ＤＳＣＨ）であり、  前記第２共有チャネルは、高速共有制御チャネル（ＨＳ−ＳＣＣＨ）であり、
前記第１ユーザ機器デバイスへのペイロード・データの伝送の符号割当ておよび変調技術の前記指示は、前記ＴＴＩの間の前記第１ユーザ機器デバイスへのペイロード・データのＨＳＤＰＡ伝送の符号割当ておよび変調技術の指示を備え、
少なくとも前記第２ユーザ機器デバイスへのペイロード・データの伝送の符号割当ておよび変調技術に関する前記情報は、前記ＴＴＩの間の少なくとも前記第２ユーザ機器デバイスへのペイロード・データのＨＳＤＰＡ伝送の符号割当ておよび変調技術に関する情報を備える、
請求項１５に記載の基地送受信局。
【請求項１７】
前記第２タイプの制御情報は、前記ＴＴＩの間の前記複数のユーザ機器デバイスの少なくとも第３ユーザ機器デバイスへのペイロード・データのＨＳＤＰＡ伝送の符号割当ておよび変調技術に関する情報をさらに備え、ここにおいて、前記第３ユーザ機器デバイスは前記第１および第２ユーザ機器デバイスとは異なる、請求項１６に記載の基地送受信局。
【請求項１８】
前記第２タイプの制御情報は、前記ＴＴＩの間の前記第１ユーザ機器デバイスへの前記ＨＳＤＰＡ伝送の前記符号割当ておよび変調技術に関する情報をさらに備え、
前記送信機は、前記第２および第３ユーザ機器デバイスに前記メッセージを送る、
請求項１７に記載の基地送受信局。
【請求項１９】
前記プロセッサは、送信機がＨＳＤＰＡを使用して前記第１、第２および第３ユーザ機器デバイスに対して前記ＴＴＩの間にペイロード・データを送るようにさせるように構成された、請求項１８に記載の基地送受信局。
【請求項２０】
複数のユーザ機器デバイスと無線通信するための無線ネットワークにおける基地送受信局であって、前記基地送受信局は、
ダウンリンク・キャリヤにより搬送される第１共有チャネル上で前記複数の無線ユーザ機器デバイスにペイロード・データを伝送するように、そして第２共有チャネル上で前記複数の無線ユーザ機器デバイスに制御情報を伝送するように構成された送信機と、
前記送信機に接続されるプロセッサと、
を具備し、ここにおいて、前記プロセッサは、
前記送信機が、伝送時間インターバル（ＴＴＩ）に関する第１タイプの制御情報を前記ＴＴＩの間にペイロード・データを受信するようにスケジュールされている前記複数のユーザ機器デバイスの各ユーザ機器デバイスに伝送するようにさせるように構成され、ここにおいて、前記第１タイプの制御情報は前記ＴＴＩの間の前記各ユーザ機器デバイスへのペイロード・データの伝送の符号割当ておよび変調技術の指示を備え、前記送信機は前記各ユーザ機器デバイスに異なる第１タイプの制御情報を伝送し、
前記送信機が、前記ＴＴＩの間にペイロード・データを受信するようにスケジュールされている前記複数のユーザ機器デバイスのすべてのユーザ機器デバイスにメッセージを送るようにさせるように構成され、ここにおいて、前記メッセージは第２タイプの制御情報を備え、前記第２タイプの制御情報は前記ＴＴＩの間にペイロード・データを受信するようにスケジュールされている前記複数のユーザ機器デバイスの前記すべてのユーザ機器デバイスへのペイロード・データの伝送の符号割当ておよび変調技術に関する情報を備える、
ことを特徴とする基地送受信局。
【請求項２１】
前記基地送受信局は、高速データ・パケット・アクセス（ＨＳＤＰＡ）を使用して前記ユーザ機器デバイスと通信し、
前記第１共有チャネルは、高速ダウンリンク共有チャネル（ＨＳ−ＤＳＣＨ）であり、  前記第２共有チャネルは、高速共有制御チャネル（ＨＳ−ＳＣＣＨ）であり、
前記各ユーザ機器デバイスへのペイロード・データの伝送の符号割当ておよび変調技術の前記指示は、前記ＴＴＩの間の前記各ユーザ機器デバイスへのペイロード・データのＨＳＤＰＡ伝送の符号割当ておよび変調技術の指示を備え、
前記すべてのユーザ機器デバイスへのペイロード・データの伝送の符号割当ておよび変調技術に関する前記情報は、前記すべてのユーザ機器デバイスへのペイロード・データのＨＳＤＰＡ伝送の符号割当ておよび変調技術に関する情報を備える、
請求項２０に記載の基地送受信局。
【請求項２２】
前記メッセージは、（１）第２データ部分、および（２）共通ユーザＩＤを用いてマスクされる第２エラー検出部分を備え、ここにおいて、前記共通ユーザＩＤは前記複数のユーザ機器デバイスの前記各ユーザ機器デバイスには既知である、
請求項２１に記載の基地送受信局。
【請求項２３】
前記プロセッサは、さらに、
前記第２データ部分の巡回冗長検査（ＣＲＣ）を計算することと、
前記第２データ部分の前記ＣＲＣおよび前記共通ユーザＩＤに排他的論理和演算を実行して、前記共通ユーザＩＤを用いてマスクされる前記第２エラー検出部分を得ることと、を備える各ステップを実行するように構成された、請求項２２に記載の基地送受信局。
【請求項２４】
前記プロセッサは、各変調技術と関連付けられるＨＳＤＰＡ符号が符号の所定の順序に関して連続的に割当てられるように、前記ＨＳ−ＤＳＣＨ上での前記ＴＴＩの間の伝送に対してＨＳＤＰＡ符号を割当てるようにさらに構成され、ここにおいて、前記所定の順序は前記複数のユーザ機器デバイスの前記各ユーザ機器デバイスには既知である、請求項２１に記載の基地送受信局。
【請求項２５】
前記プロセッサは、前記ＨＳ−ＤＳＣＨ上での前記ＴＴＩの間の伝送のためにＨＳＤＰＡ符号を割当てるようにさらに構成され、そのためＱＰＳＫ変調と関連付けられるＨＳＤＰＡ符号は、符号の所定の順序に関して連続的に割当てられ、そしてそのため１６ＱＡＭ変調と関連付けられるＨＳＤＰＡ符号は、前記所定の順序に関して連続的に割当てられ、ここにおいて、前記所定の順序は、前記各ユーザ機器デバイスには既知である、請求項２１に記載の基地送受信局。
【請求項２６】
前記プロセッサは、データ部分を生成するようにさらに構成され、ここにおいて、前記データ部分は、前記ＨＳ−ＤＳＣＨ上での前記ＴＴＩの間のＱＰＳＫ変調を用いる伝送に対して割当てられる前記ＨＳＤＰＡ符号の数のＱＰＳＫ指示と、前記ＨＳ−ＤＳＣＨ上での前記ＴＴＩの間の１６ＱＡＭ変調を用いる伝送に対して割当てられる前記ＨＳＤＰＡ符号の数の１６ＱＡＭ指示とを備える、請求項２５に記載の基地送受信局。
【請求項２７】
前記プロセッサは、ＱＰＳＫ変調を用いる伝送に対して割当てられる前記ＨＳＤＰＡ符号の数と１６ＱＡＭ変調を用いる伝送に対して割当てられる前記ＨＳＤＰＡ符号の数とを、所定の数の連続するＴＴＩのすべてのセットにおいて１回より多く変更することを防止するようにさらに構成され、ここにおいて、前記所定の数は１より大きい、請求項２６に記載の基地送受信局。
【請求項２８】
前記プロセッサは、ＱＰＳＫ変調を用いる伝送に対して割当てられる前記ＨＳＤＰＡ符号の数と１６ＱＡＭ変調を用いる伝送に対して割当てられる前記ＨＳＤＰＡ符号の数とを、５つの連続するＴＴＩのすべてのセットにおいて１回より多く変更することを防止するようにさらに構成される、請求項２３に記載の基地送受信局。
【請求項２９】
ペイロード・データを等化する方法であって、前記方法は、
伝送時間インターバル（ＴＴＩ）に関する第１タイプの制御情報をキャリヤの第１ダウンリンク共有チャネル上でユーザ機器デバイスにより受信することと、ここにおいて、前記第１タイプの制御情報は前記ＴＴＩの間の前記ユーザ機器デバイスへのペイロード・データの伝送の符号割当ておよび変調技術の指示を備え、
第２タイプの制御情報を前記第１ダウンリンク共有チャネル上で前記ユーザ機器デバイスにより受信することと、ここにおいて、前記第２タイプの制御情報は前記ＴＴＩの間の複数のユーザ機器デバイスへのペイロード・データの伝送の符号割当ておよび変調技術に関する情報を備え、
前記第２タイプの制御情報に従って前記ユーザ機器デバイスの等化器を設定することと、
前記ＴＴＩの間に前記キャリヤ・ペイロード・データの第２ダウンリンク共有チャネル上で前記ユーザ機器デバイスによって受信することと、
前記第２タイプの制御情報に従って設定される前記等化器を使用して、前記ＴＴＩの間に前記ユーザ機器デバイスにより受信される前記ペイロード・データ内のユーザ間干渉を等化することおよび低減することと、
を具備することを特徴とする方法。
【請求項３０】
前記第１ダウンリンク共有チャネルは、高速共有制御チャネル（ＨＳ−ＳＣＣＨ）であり、
前記ユーザ機器デバイスへのペイロード・データの伝送の符号割当ておよび変調技術の前記指示は、前記ＴＴＩの間の前記ユーザ機器デバイスへのペイロード・データのＨＳＤＰＡ伝送の符号割当ておよび変調技術の指示を備え、
前記複数のユーザ機器デバイスへのペイロード・データの伝送の符号割当ておよび変調技術に関する前記情報は、複数のユーザ機器デバイスへのペイロード・データのＨＳＤＰＡ伝送の符号割当ておよび変調技術に関する情報を備え、
前記第２ダウンリンク共有チャネルは、高速ダウンリンク共有チャネル（ＨＳ−ＤＳＣＨ）であり、
前記第２ダウンリンク共有チャネル上で前記ユーザ機器デバイスにより前記受信するステップは、前記ＴＴＩの間に前記キャリヤＨＳＤＰＡペイロード・データを前記ＨＳーＤＳＣＨで前記ユーザ機器デバイスにより受信することを備える、
請求項２９に記載の方法。
【請求項３１】
前記設定するステップは、前記第２タイプの制御情報に従って前記ユーザ機器デバイスの判定帰還フィルタをアレンジすること（arranging）を備える、請求項３０に記載の方法。
【請求項３２】
前記第１タイプの制御情報は、（１）第１データ部分、および（２）前記ユーザ機器デバイスの専用ユーザ識別子（ＩＤ）を用いてマスクされる第１エラー検出部分を備え、ここにおいて、前記第１エラー検出部分は前記第１データ部分から導き出され、
前記第２タイプの制御情報は、（１）第２データ部分、および（２）共通ユーザＩＤを用いてマスクされる第２エラー検出部分を備え、ここにおいて、前記共通ユーザＩＤは前記複数のユーザ機器デバイスの各ユーザ機器デバイスには既知であり、
前記方法はさらに、
前記専用ユーザＩＤを用いて前記第１エラー検出部分のマスクを外して、マスクを外された第１エラー検出部分を得ることと、
前記マスクを外された第１エラー検出部分を用いて前記第１データ部分の完全性を検証することと、
前記共通ユーザＩＤを用いて前記第２エラー検出部分のマスクを外して、マスクを外された第２エラー検出部分を得ることと、
前記マスクを外された第２エラー検出部分を用いて前記第２データ部分の完全性を検証することと、
を備える、
請求項３０に記載の方法。
【請求項３３】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記設定するステップは、前記複数の符号数および前記所定のＨＳＤＰＡ符号順序から前記ＴＴＩの間に伝送される各ＨＳＤＰＡ符号の変調技術を推定することを備える、
請求項３２に記載の方法。
【請求項３４】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
前記設定するステップは、ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が所定の順序内で連続的に配列され、１６ＱＡＭ変調データのために使用される前記ＨＳＤＰＡ符号が前記所定の順序内で連続的に配列される場合に、干渉を低減するために前記等化器の判定帰還フィルタをプログラムすることを備える、
請求項３２に記載の方法。
【請求項３５】
前記設定するステップは、連続するＴＴＩの第３の所定の数の各ＴＴＩ系列において１回だけ実行され、ここにおいて、前記第３の所定の数は１より大きい、請求項３４に記載の方法。
【請求項３６】
前記設定するステップは、５つの連続するＴＴＩの各ＴＴＩ系列において１回だけ実行される、請求項３４に記載の方法。
【請求項３７】
無線ネットワークの基地送受信局と通信するための無線ユーザ機器デバイスであって、前記無線ユーザ機器デバイスは、
受信機と、
等化器と、
前記受信機および前記等化器に接続される処理回路と、
を備え、ここにおいて、
前記受信機は、（１）伝送時間インターバル（ＴＴＩ）に関する第１タイプの制御情報を前記無線ネットワークのキャリヤの第１共有チャネル上で受信するように設定され、ここにおいて、前記第１タイプの制御情報は前記ＴＴＩの間の前記無線ユーザ機器デバイスへのペイロード・データの伝送に対する符号割当ておよび変調技術の指示を備え、および（２）第２タイプの制御情報を前記第１共有チャネル上で受信するように設定され、ここにおいて、前記第２タイプの制御情報は前記ＴＴＩの間の複数の無線ユーザ機器デバイスへのペイロード・データの伝送の符号割当ておよび変調技術に関する情報を備え、
前記処理回路は、
前記第２タイプの制御情報に従って前記等化器を設定することと、
前記ＴＴＩの間に前記無線ユーザ機器デバイスへのペイロード・データの前記伝送を第２共通チャネル上で受信し、結果として受信されたペイロード・データを得るように前記受信機を設定することと、
前記受信されたペイロード・データ内の干渉を等化するためおよび低減するために、前記第２タイプの制御情報に従って設定された前記等化器を使用することと、
を備える各ステップを実行するようにアレンジされる、
ことを特徴とする無線ユーザ機器デバイス。
【請求項３８】
前記第１共有チャネルは、高速共有制御チャネル（ＨＳ−ＳＣＣＨ）であり、
前記第２共有チャネルは、高速ダウンリンク共有チャネル（ＨＳ−ＤＳＣＨ）であり、  前記無線ユーザ機器デバイスへのペイロード・データの伝送に対する符号割当ておよび変調技術の前記指示は、前記無線ユーザ機器デバイスへのペイロード・データのＨＳＤＰＡ伝送の符号割当ておよび変調技術の指示を備え、
前記複数の無線ユーザ機器デバイスへのペイロード・データの伝送の符号割当ておよび変調技術に関する前記情報は、前記複数の無線ユーザ機器デバイスへのペイロード・データのＨＳＤＰＡ伝送の符号割当ておよび変調技術に関する情報を備える、
請求項３７に記載の無線ユーザ機器デバイス。
【請求項３９】
前記等化器は、判定帰還フィルタを備える、請求項３８に記載の無線ユーザ機器デバイス。
【請求項４０】
前記第１タイプの制御情報は、（１）第１データ部分、および（２）前記第１ユーザ機器デバイスの専用ユーザ識別子（ＩＤ）を用いてマスクされる第１エラー検出部分を備え、ここにおいて、前記第１エラー検出部分は前記第１データ部分から導き出され、
前記第２タイプの制御情報は、（１）第２データ部分、および（２）共通ユーザＩＤを用いてマスクされる第２エラー検出部分を備え、ここにおいて、前記共通ユーザＩＤは前記複数のユーザ機器デバイスの各ユーザ機器デバイスには既知であり、
前記処理回路は、
前記専用ユーザＩＤを用いて前記第１エラー検出部分のマスクを外し、マスクを外された第１エラー検出部分を取得することと、
前記マスクを外された第１エラー検出部分を使用して前記第１データ部分の完全性を検証することと、
前記共通ユーザＩＤを用いて前記第２エラー検出部分のマスクを外し、マスクを外された第２エラー検出部分を取得することと、
前記マスクを外された第２エラー検出部分を使用して前記第２データ部分の完全性を検証することと、
を備える各ステップを実行するようにさらにアレンジされる、
請求項３９に記載の無線ユーザ機器デバイス。
【請求項４１】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記処理回路は、前記複数の符号数、前記所定のＨＳＤＰＡ符号順序および前記第２データ部分内の前記符号数の所定の順序から前記ＴＴＩの間に伝送される各ＨＳＤＰＡ符号の変調技術を推定するようにさらにアレンジされる、
請求項４０に記載の無線ユーザ機器デバイス。
【請求項４２】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
前記処理回路は、ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が符号の所定の順序内で連続的に配列され、そして１６ＱＡＭ変調データのために使用される前記ＨＳＤＰＡ符号が前記所定の順序内で連続的に配列される場合に、干渉を低減させるために判定帰還フィルタをプログラムするようにアレンジされる、
請求項４０に記載の無線ユーザ機器デバイス。
【請求項４３】
前記処理回路は、連続するＴＴＩの第３の所定の数の各ＴＴＩ系列において１回だけ前記第２タイプの制御情報に従って前記等化器を設定するようにさらにアレンジされ、ここにおいて、前記第３の所定の数は１より大きい、請求項３８に記載の無線ユーザ機器デバイス。
【請求項４４】
前記処理回路は、５つの連続するＴＴＩにおいて１回限り前記第２タイプの制御情報に従って前記等化器を設定するようにさらにアレンジされる、請求項３８に記載の無線ユーザ機器デバイス。
【請求項４５】
高速データ・パケット・アクセス（ＨＳＤＰＡ）を使用して複数の無線ユーザ機器デバイスと通信するための無線ネットワークにおける基地送受信局であって、前記基地送受信局は、
（１）ダウンリンク・キャリヤにより搬送される高速ダウンリンク共有チャネル（ＨＳ−ＤＳＣＨ）上でのペイロード・データと、（２）高速共有制御チャネル（ＨＳ−ＳＣＣＨ）上での制御情報とを前記複数の無線ユーザ機器デバイスに伝送するための手段と、  前記伝送するための手段に接続された処理するための手段と、
を備え、ここにおいて、前記処理するための手段は、
前記伝送するための手段が、伝送時間インターバル（ＴＴＩ）に関する第１タイプの制御情報を前記複数のユーザ機器デバイスの第１ユーザ機器デバイスに伝送するようにさせるように構成され、ここにおいて、前記第１タイプの制御情報は前記ＴＴＩの間の前記第１ユーザ機器デバイスへのペイロード・データのＨＳＤＰＡ伝送の符号割当ておよび変調技術を備え、
前記伝送するための手段が、少なくとも前記第１ユーザ機器デバイスにメッセージを送るようにさせるように構成され、ここにおいて、前記メッセージは第２タイプの制御情報を備え、前記第２タイプの制御情報は前記ＴＴＩの間の前記複数のユーザ機器デバイスの少なくとも前記第２ユーザ機器デバイスへのペイロード・データのＨＳＤＰＡ伝送の符号割当ておよび変調技術に関する情報を備え、前記第２ユーザ機器デバイスは前記第１ユーザ機器デバイスとは異なる、
ことを特徴とする基地送受信局。
【請求項４６】
前記第２タイプの制御情報は、前記ＴＴＩの間の前記複数のユーザ機器デバイスの少なくとも第３ユーザ機器デバイスへのペイロード・データのＨＳＤＰＡ伝送の符号割当ておよび変調技術に関する情報をさらに備え、ここにおいて、前記第３ユーザ機器デバイスは前記第１および第２ユーザ機器デバイスとは異なる、請求項４５に記載の基地送受信局。
【請求項４７】
前記第２タイプの制御情報は、前記ＴＴＩの間の前記第１ユーザ機器デバイスへの前記ＨＳＤＰＡ伝送の前記符号割当ておよび変調技術に関する情報をさらに備え、
前記処理するための手段は、前記伝送するための手段が前記第２および第３ユーザ機器デバイスに前記メッセージを送るようにさせるようにさらに構成される、
請求項４６に記載の基地送受信局。
【請求項４８】
前記処理するための手段は、前記伝送するための手段がＨＳＤＰＡを使用して前記第１、第２および第３ユーザ機器デバイスにペイロード・データを前記ＴＴＩの間に送るようにさせるようにさらに構成される、請求項４７に記載の基地送受信局。
【請求項４９】
無線ネットワークの基地送受信局と通信するための無線ユーザ機器デバイスであって、前記無線ユーザ機器デバイスは、
受信するための手段と、
等化するための手段と、
前記受信するための手段および前記等化するための手段に接続された処理するための手段と、
を備え、ここにおいて、
前記受信するための手段は、（１）伝送時間インターバル（ＴＴＩ）に関する第１タイプの制御情報を前記無線ネットワークのキャリヤの高速共有制御チャネル（ＨＳ−ＳＣＣＨ）上で受信するように設定され、ここにおいて、前記第１タイプの制御情報は前記ＴＴＩの間の前記無線ユーザ機器デバイスへのペイロード・データのＨＳＤＰＡ伝送に対する符号割当ておよび変調技術を備え、（２）第２タイプの制御情報を前記ＨＳ−ＳＣＣＨ上で受信するように設定され、ここにおいて、前記第２タイプの制御情報は前記ＴＴＩの間の複数の無線ユーザ機器デバイスへのペイロード・データのＨＳＤＰＡ伝送の符号割当ておよび変調技術に関する情報を備え、
前記処理するための手段は、
前記第２タイプの制御情報に従って前記等化するための手段を設定することと、
前記ＴＴＩの間の前記無線ユーザ機器デバイスへの前記ペイロード・データの前記ＨＳＤＰＡ伝送を前記キャリヤの高速ダウンリンク共有チャネル（ＨＳ−ＤＳＣＨ）上で受信し、結果として受信されたペイロード・データを得るように、前記受信するための手段を設定することと、
前記第２タイプの制御情報に従って設定される前記等化するための手段を使用して、前記受信されたペイロード・データ内の干渉を等化することおよび低減することと、
を備える各ステップを実行するようにアレンジされる、
ことを特徴とする無線ユーザ機器デバイス。
【請求項５０】
前記等化するための手段は、判定帰還フィルタを備える、請求項４９に記載の無線ユーザ機器デバイス。
【請求項５１】
前記第１タイプの制御情報は、（１）第１データ部分、および（２）前記第１ユーザ機器デバイスの専用ユーザ識別子（ＩＤ）を用いてマスクされる第１エラー検出部分を備え、ここにおいて、前記第１エラー検出部分は前記第１データ部分から導き出され、
前記第２タイプの制御情報は、（１）第２データ部分、および（２）共通ユーザＩＤを用いてマスクされる第２エラー検出部分を備え、ここにおいて、前記共通ユーザＩＤは前記複数のユーザ機器デバイスの各ユーザ機器デバイスには既知であり、
前記処理するための手段はさらに、
前記専用ユーザＩＤを用いて前記第１エラー検出部分のマスクを外して、マスクを外された第１エラー検出部分を得ることと、
前記マスクを外された第１エラー検出部分を使用して、前記第１データ部分の完全性を検証することと、
前記共通ユーザＩＤを用いて前記第２エラー検出部分のマスクを外して、マスクを外された第２エラー検出部分を得ることと、
前記マスクを外された第２エラー検出部分を使用して、前記第２データ部分の完全性を検証することと、
を備えるステップを実行するようにアレンジされる、
請求項５０に記載の無線ユーザ機器デバイス。
【請求項５２】
前記第２データ部分は、複数の符号数を備え、ここにおいて、前記複数の符号数の各符号数は特定の変調技術に対応し、前記各符号数は、所定のＨＳＤＰＡ符号順序に従って、前記ＴＴＩの間に前記各符号数に対応する前記変調技術を使用して変調されるデータの伝送のために使用される連続するＨＳＤＰＡ符号の量を指示し、
前記処理するための手段は、前記複数の符号数、前記所定のＨＳＤＰＡ符号順序および前記第２データ部分内の前記符号数の所定の順序から前記ＴＴＩの間に伝送される各ＨＳＤＰＡ符号の変調技術を推定するようにさらにアレンジされる、
請求項５１に記載の無線ユーザ機器デバイス。
【請求項５３】
前記第２データ部分は、前記ＴＴＩの間にＱＰＳＫ変調データのために使用されるＨＳＤＰＡ符号の量を指示する第１数を備え、
前記第２データ部分は、前記ＴＴＩの間に１６ＱＡＭ変調データのために使用されるＨＳＤＰＡ符号の量を指示する第２数を備え、
ＨＳＤＰＡ符号の前記第１数がＱＰＳＫ変調データのために使用され、ＨＳＤＰＡ符号の前記第２数が１６ＱＡＭ変調データのために使用され、ＱＰＳＫ変調データのために使用される前記ＨＳＤＰＡ符号が符号の所定の順序内で連続的に配列され、そして１６ＱＡＭ変調データのために使用される前記ＨＳＤＰＡ符号が前記所定の順序内で連続的に配列されている場合、前記処理するための手段は、干渉を低減するために前記判定帰還フィルタをプログラムするようにさらにアレンジされる、
請求項５１に記載の無線ユーザ機器デバイス。
【請求項５４】
前記処理するための手段は、連続するＴＴＩの第３の所定の数の各ＴＴＩ系列において１回だけ前記第２タイプの制御情報に従って前記等化するための手段を設定するようにさらにアレンジされ、ここにおいて、前記第３の所定の数は１より大きい、請求項４９に記載の無線ユーザ機器デバイス。
【請求項５５】
前記処理するための手段は、５つの連続するＴＴＩにおいて１回限り前記第２タイプの制御情報に従って前記等化するための手段を設定するようにさらにアレンジされる、請求項４９に記載の無線ユーザ機器デバイス。
【請求項５６】
命令を具備する機械可読媒体であって、無線ネットワークにおいて複数の無線ユーザ機器デバイスと通信するための基地送受信局の少なくとも１つのプロセッサにより実行される時に、前記命令は、前記基地送受信局が、
ダウンリンク・キャリヤにより搬送される第１共有チャネル上で前記複数の無線ユーザ機器デバイスにペイロード・データを伝送することと、
第２共有チャネル上で前記複数の無線ユーザ機器デバイスに制御情報を伝送することと、
伝送時間インターバル（ＴＴＩ）に関する第１タイプの制御情報を前記複数のユーザ機器デバイスの第１ユーザ機器デバイスに伝送することと、ここにおいて、前記第１タイプの制御情報は前記ＴＴＩの間の前記第１ユーザ機器デバイスへのペイロード・データの伝送の符号割当ておよび変調技術の指示を備え、
少なくとも前記第１ユーザ機器デバイスにメッセージを送ることと、ここにおいて、前記メッセージは第２タイプの制御情報を備え、前記第２タイプの制御情報は前記ＴＴＩの間の前記複数のユーザ機器デバイスの少なくとも第２ユーザ機器デバイスへのペイロード・データの伝送の符号割当ておよび変調技術に関する情報を備え、前記第２ユーザ機器デバイスは前記第１ユーザ機器デバイスとは異なる、
を備える動作を実行するようにさせる、
ことを特徴とする機械可読媒体。
【請求項５７】
命令を備える機械可読媒体であって、無線ネットワークの基地送受信局と通信するために無線ユーザ機器デバイスの少なくとも１つのプロセッサにより実行される時に、前記命令は、前記無線ユーザ機器デバイスが、
伝送時間インターバル（ＴＴＩ）に関する第１タイプの制御情報を前記無線ネットワークのキャリヤの第１共有チャネル上で受信することと、ここにおいて、前記第１タイプの制御情報は前記ＴＴＩの間の前記無線ユーザ機器デバイスへのペイロード・データの伝送のための符号割当ておよび変調技術の指示を備え、
第２タイプの制御情報を前記第１共有チャネル上で受信することと、ここにおいて、前記第２タイプの制御情報は前記ＴＴＩの間の複数の無線ユーザ機器デバイスへのペイロード・データの伝送の符号割当ておよび変調技術に関する情報を備え、
前記第２タイプの制御情報に従って等化器を設定することと、
前記ＴＴＩの間に前記無線ユーザ機器デバイスへの前記ペイロード・データの前記伝送を前記キャリヤの第２共有チャネル上で受信し、結果として受信されたペイロード・データを得ることと、
前記第２タイプの制御情報に従って設定される前記等化器を使用して、前記受信されたペイロード・データ内の干渉を等化することおよび低減することと、
を備える動作を実行するようにさせる、
ことを特徴とする機械可読媒体。
【発明の詳細な説明】
【関連文献】
【０００１】
（米国特許法第１１９条に基づく優先権の主張）
本特許出願は、２００５年３月３１日に出願された「周波数ドメイン等化方法およびその装置(Method and Apparatus for Frequency Domain Equalization)」というタイトルの米国特許仮出願番号第６０／６６７，５７３号の優先権を主張する。この仮出願は、本出願の出願人に譲渡されており、すべての図、表および請求項を含む全内容は、参照として本明細書に明確に組み込まれる。
【技術分野】
【０００２】
本発明は、一般には通信に関し、さらに詳細には、高速データ・パケット・アクセス（ＨＳＤＰＡ）ポイント・ツー・マルチポイント通信システムにおける周波数ドメイン等化に関する。
【背景技術】
【０００３】
現代の通信システムは、音声およびデータ・アプリケーションを含む様々なアプリケーションに対して信頼性のあるデータ伝送を提供することが期待されている。ポイント・ツー・マルチポイント通信環境では、既知の通信システムは、周波数分割多元接続（ＦＤＭＡ）、時分割多元接続（ＴＤＭＡ）、符号分割多元接続（ＣＤＭＡ）および場合により他の多元接続通信方式に基づいている。
【０００４】
ＣＤＭＡシステムは、（１）ＴＩＡ／ＥＩＡ−９５  デュアル・モード広帯域スペクトル拡散セルラ方式に対する移動局−基地局互換性規格（拡張改訂版ＡおよびＢを備えるこの規格は「ＩＳ−９５」規格とも称される）、（２）ＴＩＡ／ＥＩＡ−９８−Ｃ  デュアル・モード広帯域スペクトル拡散セルラ移動局に対する推奨される最小限の規格（「ＩＳ−９８規格」）、（３）「３ＧＰＰ（3rd Generation Partnership Project）」の名称の協会により提唱され、３Ｇ  ＴＳ  ２５．２１１、３Ｇ  ＴＳ  ２５．２１２、３Ｇ  ＴＳ  ２５．２１３および３Ｇ  ＴＳ  ２５．２１４といった既知の文書を含む一連の文書において具体化されている規格（「Ｗ−ＣＤＭＡ規格」）（４）「３ＧＰＰ２（3rd Generation Partnership Project 2）」の名称の協会により提唱され、「Ｃ．Ｓ０００２−Ａ  ｃｄｍａ２０００スペクトル拡散システムに対する物理層規格」、「Ｃ．Ｓ０００５−Ａ  ｃｄｍａ２０００スペクトル拡散システムに対する上位層（レイヤ３）信号方式規格」（一括して「ｃｄｍａ２０００規格」）を含む一連の文書において具体化されている規格、（５）１ｘＥＶ−ＤＯ規格「ＴＩＡ／ＥＩＡ／ＩＳ−８５６  ｃｄｍａ２０００  高速パケット・データ・エア・インタフェース仕様」、および（６）特定の他の規格といった１つまたは複数のＣＤＭＡ規格をサポートするように設計されている。上記の規格リストは、本明細書に記載されているかのように、参照として本明細書に組み込まれており、付属書類、付録、他の添付文書を含む。
【０００５】
３ＧＰＰ  Ｒｅｌｅａｓｅ  ５  ＨＳＤＰＡでは、アクセス・ネットワークの基地送受信局は、ユーザ機器デバイスに、高速ダウンリンク共有チャネル（ＨＳ−ＤＳＣＨ）上でダウンリンク・ペイロード・データを、および高速共有制御チャネル（ＨＳ−ＳＣＣＨ）上でダウンリンク・データに関連する制御情報を送る。データ伝送に使用される２５６の直交可変拡散率（ＯＶＳＦまたはＷａｌｓｈ）符号が存在する。ＨＳＤＰＡシステムでは、これらの符号は、一般に携帯電話（音声）対して使用されるリリース（ｒｅｌｅａｓｅ）１９９９（レガシー・システム）符号と、データ・サービスのために使用されるＨＳＤＰＡ符号とに区分される。ＯＶＳＦ符号のツリー構造では、区分は、ノードがＨＳＤＰＡに属している場合、このノードのすべてのサブノードもまたＨＳＤＰＡに属する。既知のシステムでは、符号は、１６ノードが存在するレベルにおいて区分され、１つのノードはＨＳＤＰＡ通信以外に割当てられる。ゼロ符号は使用できないため、最大１５符号がＨＳＤＰＡのために使用できる。ＨＳＤＰＡ伝送では、符号の割当ては動的であり、一般に１つの伝送時間インターバル（「ＴＴＩ」）から次の時間インターバルへと変更できる。したがって、１５を超えるＨＳＤＰＡデバイスが１つのセル内であり得る。デバイスに割当てられるＨＳＤＰＡ符号が大きければ大きいほど、このデバイスが使用できるダウンリンク・データ・レートは高くなる。
【０００６】
各ＴＴＩについて、ＨＳＤＰＡ対応のユーザ機器デバイスに送られる専用制御情報は、符号空間内のどの符号がそのデバイスに対してダウンリンク・ペイロード・データを送るために使用されるかを、そしてそのダウンリンク・ペイロード・データの伝送のために使用される変調を、そのデバイスに指示する。制御情報は、この関連付けられた巡回冗長検査（ＣＲＣ）ブロックと共に送られる。ＣＲＣブロックは、制御情報パケットに対する１６ビットＣＲＣを計算し、その後計算されたＣＲＣとユーザ機器デバイスの固有の１６ビットＩＤに排他的論理和（ＸＯＲ）演算を実行することにより得られる。このように、各制御チャネルの１６ビットＣＲＣは、ユーザ機器デバイスの固有の１６ビットＩＤを用いてマスクされる。各ユーザ機器デバイスは、複数の制御チャネル、例えば４つを監視するが、特定のユーザ機器デバイスに固有の１つの制御チャネル上だけでそのデバイスに向けられた専用制御情報を受信する。ユーザ機器デバイスは、セル内の他のユーザ機器デバイスのいずれに対するＣＲＣも評価せず、また他のユーザ機器デバイスに対する制御データを有していない。
【０００７】
ユーザ機器デバイスにより受信されるダウンリンク・データからの干渉を除去することが望ましい。干渉は、マルチパスに起因して同一ユーザから生じるシンボル間干渉（ＩＳＩ）と、他のユーザからの干渉であるユーザ間干渉（ＩＵＩ）として分類できる。取り扱っているＨＳＤＰＡセル／サイトから受信される干渉の大部分は、符号が直交であるため、シンボル間干渉である。しかし、直交性の仮定は、一般に相加性白色ガウス雑音（ＡＷＧＮ）伝送チャネルに対してのみ保たれる。マルチパスが存在する場合、符号の直交性はある程度失われ、ユーザ間干渉が生じる。既知の符号分割多元接続システムでは、ユーザ間干渉に起因する性能低下はそのまま容認される。しかし、システム性能を向上するためにユーザ間干渉を除去することが望ましい。
【０００８】
干渉の除去は、等化により実行される。符号空間内で使用される変調技術の知識は、受信信号の有効な等化に必要である。リリース１９９９符号は、一般に四極移相キーイング（ＱＰＳＫ）において使用され、したがってユーザ機器デバイスは、この情報を有する。しかし上述のとおり、ＨＳＤＰＡシステムでは、変調および符号割当ての両方が、ユーザに固有でありそして動的であり、特定のユーザ機器デバイスは、デバイス自体に割当てられた符号以外のＨＳＤＰＡ符号に対するこの情報を有していない。ＨＳＤＰＡシステムに対して想定されるより高速データレートのため、ユーザ間干渉はさらに大きくなる。
【０００９】
干渉の除去は、しかも取り扱っているセル／サイト以外のＨＳＤＰＡセル／サイトから受信される既知の信号を減算することにより、ユーザ機器デバイスにおいても実行される。これをより効果的に実行するために、ユーザ機器デバイスは、これらの他のセル／サイトに割当てられるＨＳＤＰＡ符号に関する情報を有することが必要である。
【００１０】
したがって、ＨＳＤＰＡ符号の符号割当ておよびＨＳＤＰＡ符号において用いられる変調に関する情報をユーザ機器デバイスに伝達する方法および装置に対する技術的な必要性が存在する。また、レガシーＣＤＭＡシステムのフレームワーク内のこのような情報を、最小限の帯域幅、電力および計算リソースの消費で伝達するための技術の必要性がある。
【発明の概要】
【００１１】
本明細書に開示される実施形態は、変調およびすべてのＨＳＤＰＡデバイスの符号空間使用量を特定のＨＳＤＰＡユーザ機器デバイスに（またはセル／サイトにおけるすべてのユーザ機器デバイスに）信号通信するメカニズムを提供することにより上述の必要性に対処し、特定のユーザ機器デバイスがこのデバイスの等化器の判定帰還フィルタを設定して、他のＨＳＤＰＡデバイスへの伝送に起因する干渉を低減することを可能にする。
【００１２】
一実施形態では、１つの方法は、データを無線ネットワークから複数のユーザ機器デバイスに伝送するために提供される。この方法によると、第１タイプの制御情報は、無線ネットワークから複数のユーザ機器デバイスの第１ユーザ機器デバイスに伝送される。第１タイプの制御情報は、伝送時間インターバル（ＴＴＩ）に関連し、ＴＴＩの間の第１ユーザ機器デバイスへのペイロード・データの伝送の符号割当ておよび変調技術の指示（記述）を含む。この方法はまた、無線ネットワークから少なくとも第１ユーザ機器デバイスに第２タイプの制御情報を備えるメッセージを送ることを含む。第２タイプの制御情報は、複数のユーザ機器デバイスの少なくとも第２ユーザ機器デバイスへのペイロード・データのＴＴＩの間の伝送の符号割当ておよび変調技術に関する情報を含む。第２ユーザ機器デバイスは、第１ユーザ機器デバイスと同一ではない。
【００１３】
一実施形態では、無線ネットワークにおける基地送受信局は、複数の無線ユーザ機器デバイスとの通信するために与えられている。基地送受信局は、送信機および送信機に接続されたプロセッサを含む。送信機は、ダウンリンク・キャリヤにより搬送される第１共有チャネル上で複数の無線ユーザ機器デバイスにペイロード・データを伝送し、そして第２共有チャネル上で複数の無線ユーザ機器デバイスに制御情報を伝送するように構成される。プロセッサは、送信機が複数のユーザ機器デバイスの第１ユーザ機器デバイスに伝送時間インターバル（ＴＴＩ）に関連する第１タイプの制御情報を伝送するようにさせるように構成される。第１タイプの制御情報は、ＴＴＩの間の第１ユーザ機器デバイスへのペイロード・データの伝送の符号割当ておよび変調技術の指示を含む。プロセッサはまた、送信機が少なくとも第１ユーザ機器デバイスにメッセージを送るようにさせるように構成される。メッセージは、複数のユーザ機器デバイスのうちの少なくとも第２ユーザ機器デバイスへの、ＴＴＩの間のペイロード・データの伝送の符号割当ておよび変調技術に関する情報を含む、第２タイプの制御情報を含む。第２ユーザ機器デバイスは、第１ユーザ機器デバイスとは異なる。
【００１４】
一実施形態では、無線ネットワークにおいて複数のユーザ機器デバイスと無線通信するための基地送受信局は、送信機および送信機に接続されたプロセッサを含む。送信機は、ダウンリンク・キャリヤにより搬送される第１共有チャネル上で複数の無線ユーザ機器デバイスにペイロード・データを伝送し、そして第２共有チャネル上で複数の無線ユーザ機器デバイスに制御情報を伝送するように構成される。プロセッサは、送信機が伝送時間インターバル（ＴＴＩ）の間にペイロード・データを受信するようにスケジュールされた複数のユーザ機器デバイスのうちの各ユーザ機器デバイスにＴＴＩに関連する第１タイプの制御情報を伝送るようにさせるように構成される。第１タイプの制御情報は、ＴＴＩの間の各ユーザ機器デバイスへのペイロード・データの伝送の符号割当ておよび変調技術の指示を含む。送信機は、各ユーザ機器デバイスにそれぞれの第１タイプの制御情報を送る。プロセッサはまた、ＴＴＩの間にペイロード・データを受信するようにスケジュールされた複数のユーザ機器デバイスのすべてのユーザ機器デバイスにメッセージを送るように構成される。メッセージは、ＴＴＩの間にペイロード・データを受信するようにスケジュールされた複数のユーザ機器デバイスのすべてのユーザ機器デバイスへのペイロード・データの伝送の符号割当ておよび変調技術に関する情報を含む、第２タイプの制御情報を含む。
【００１５】
一実施形態では、ペイロード・データの等化の方法が提供される。この方法は、以下のステップを含む。
【００１６】
（１）伝送時間インターバル（ＴＴＩ）に関する第１タイプの制御情報を、キャリヤの第１ダウンリンク共有チャネル上でユーザ機器デバイスにより受信するステップ。第１タイプの制御情報は、ＴＴＩの間のユーザ機器デバイスへのペイロード・データの伝送の符号割当ておよび変調技術の指示を含む。
【００１７】
（２）第２タイプの制御情報を第１ダウンリンク共有チャネル上でユーザ機器デバイスにより受信するステップ。第２タイプの制御情報は、ＴＴＩの間の複数のユーザ機器デバイスへのペイロード・データの送信の符号割当ておよび変調技術に関する情報を含む。
【００１８】
（３）第２タイプの制御情報に従ってユーザ機器デバイスの等化器を設定するステップ。
【００１９】
（４）ＴＴＩの間にペイロード・データをキャリヤの第２ダウンリンク共有チャネル上でユーザ機器デバイスにより受信するステップ。
【００２０】
（５）ＴＴＩの間にユーザ機器デバイスにより受信されるペイロード・データにおけるユーザ間干渉を等化するためそして低減するために第２タイプの制御情報に従って設定される等化器を使用するステップ。
【００２１】
一実施形態では、無線ネットワークの基地送受信局と通信する無線ユーザ機器デバイスは、受信機、等化器および、受信機および等化器に接続された処理回路を含む。受信機は、伝送時間インターバル（ＴＴＩ）に関する第１タイプの制御情報を、無線ネットワークのキャリヤの第１共有チャネル上で受信するように構成される。第１タイプの制御情報は、ＴＴＩの間の無線ユーザ機器デバイスへのペイロード・データの伝送に対する符号割当ておよび変調技術の指示を含む。受信機はまた、ＴＴＩの間の複数の無線ユーザ機器デバイスへのペイロード・データの伝送の符号割当ておよび変調技術に関する情報を含む、第２タイプの制御情報を第１共有チャネル上で受信するように構成される。処理回路は、第２タイプの制御情報に従って等化器を設定するようにアレンジされる（arranged）。処理回路はまた、ＴＴＩの間に無線ユーザ機器デバイスに対するペイロード・データの伝送を第２共通チャネル上で受信するように、受信機を設定するようにアレンジされる。処理回路は、第２タイプの制御情報により設定される等化器を使用して、受信されるペイロード・データにおける干渉を等化するようにそして低減するようにさらにアレンジされる。
【００２２】
一実施形態では、基地送受信局は、無線ネットワークにおいて高速データ・パケット・アクセス（ＨＳＤＰＡ）を使用して複数の無線ユーザ機器デバイスと通信するために提供される。基地送受信局は、伝送するための手段および処理するための手段を含む。伝送するための手段は、複数の無線ユーザ機器デバイスに、（１）ダウンリンク・キャリヤにより搬送される高速ダウンリンク共有チャネル（ＨＳ−ＤＳＣＨ）上でペイロード・データと、（２）高速共有制御チャネル（ＨＳ−ＳＣＣＨ）上で制御情報と、を伝送するように設定される。処理するための手段は、伝送するための手段を、伝送時間インターバル（ＴＴＩ）に関連する第１タイプの制御情報を複数のユーザ機器デバイスの第１ユーザ機器デバイスに伝送するようにさせるように構成される。第１タイプの制御情報は、ＴＴＩの間の第１ユーザ機器デバイスへのペイロード・データのＨＳＤＰＡ伝送の符号割当ておよび変調技術を含む。処理するための手段はまた、伝送するための手段が、少なくとも第１ユーザ機器デバイスに第２タイプの制御情報を備えるメッセージを送るようにさせるように構成される。第２タイプの制御情報は、ＴＴＩの間の複数のユーザ機器デバイスの少なくとも第２ユーザ機器デバイスにペイロード・データのＨＳＤＰＡ伝送の符号割当ておよび変調技術に関する情報を含む。第２ユーザ機器デバイスは、第１ユーザ機器デバイスとは同一ではない。
【００２３】
一実施形態では、無線ネットワークの基地送受信局と通信するための無線ユーザ機器デバイスは、受信するための手段、等化するための手段および処理するための手段を含む。処理するための手段は、受信するための手段および等化するための手段に接続されている。受信するための手段は、伝送時間インターバル（ＴＴＩ）に関する第１タイプの制御情報を無線ネットワークのキャリヤの高速共有制御チャネル（ＨＳ−ＳＣＣＨ）上で受信するように構成される。第１タイプの制御情報は、ＴＴＩの間の無線ユーザ機器デバイスへのペイロード・データのＨＳＤＰＡ伝送に対する符号割当ておよび変調技術を含む。受信するための手段はまた、ＴＴＩの間の複数の無線ユーザ機器デバイスへのペイロード・データのＨＳＤＰＡ伝送の符号割当ておよび変調技術に関する情報を含む、第２タイプの制御情報をＨＳ−ＳＣＣＨ上で受信するように構成される。処理するための手段は、第２タイプの制御情報に従って等化するための手段を設定するようにアレンジされる。処理するための手段は、しかも受信するための手段を設定して、ＴＴＩの間の無線ユーザ機器デバイスへのペイロード・データのＨＳＤＰＡ伝送をキャリヤの高速ダウンリンク共有チャネル（ＨＳ−ＤＳＣＨ）上で受信するようにアレンジされる。処理するための手段はさらに、第２タイプの制御情報に従って設定される等化の手段を用いて、受信されるペイロード・データにおける干渉を等化するようにそして低減するようにアレンジされる。
【００２４】
一実施形態では、機械可読媒体は、内部に組み込まれた命令を有する。無線ネットワークにおいて複数の無線ユーザ機器デバイスと通信するために使用される基地送受信局の少なくとも１つのプロセッサによりこの命令が実行される場合に、その命令は、以下を含む動作を基地送受信局に実行させる。
【００２５】
（１）ダウンリンク・キャリヤにより搬送される、第１共有チャネル上で複数の無線ユーザ機器デバイスにペイロード・データを伝送すること。
【００２６】
（２）第２共有チャネル上で複数の無線ユーザ機器デバイスに制御情報を伝送すること。
【００２７】
（３）伝送時間インターバル（ＴＴＩ）に関する第１タイプの制御情報を複数のユーザ機器デバイスの第１ユーザ機器デバイスに伝送すること。第１タイプの制御情報は、ＴＴＩの間の第１ユーザ機器デバイスへのペイロード・データの伝送の符号割当ておよび変調技術の指示を含む。
【００２８】
（４）少なくとも第１ユーザ機器デバイスに第２タイプの制御情報を有するメッセージを送ること。第２タイプの制御情報は、ＴＴＩの間の複数のユーザ機器デバイスの少なくとも第２ユーザ機器デバイスへのペイロード・データの伝送の符号割当ておよび変調技術に関する情報を含む。第２ユーザ機器デバイスは、第１ユーザ機器デバイスと同一ではない。
【００２９】
一実施形態では、機械可読媒体は、内部に組み込まれた命令を有する。この命令が無線ネットワークの基地送受信局との通信のために使用される無線ユーザ機器デバイスの少なくとも１つのプロセッサにより実行される場合に、その命令は、以下を含む動作を無線ユーザ機器デバイスに実行させる。
【００３０】
（１）伝送時間インターバル（ＴＴＩ）に関する第１タイプの制御情報を無線ネットワークのキャリヤの第１共有チャネル上で受信すること。第１タイプの制御情報は、ＴＴＩの間の無線ユーザ機器デバイスへのペイロード・データの伝送に対する符号割当ておよび変調技術の指示を含む。
【００３１】
（２）第２タイプの制御情報を第１共有チャネル上で受信すること。第２タイプの制御情報は、ＴＴＩの間の複数の無線ユーザ機器デバイスへのペイロード・データの伝送の符号割当ておよび変調技術に関する情報を含む。
【００３２】
（３）第２タイプの制御情報に従って等化器を設定すること。
【００３３】
（４）ＴＴＩの間に無線ユーザ機器デバイスへのペイロード・データの伝送をキャリヤの第２共有チャネル上で受信すること。
【００３４】
（５）第２タイプの制御情報に従って設定される等化器を使用して、受信されるペイロード・データにおける干渉を等化することそして低減すること。
【００３５】
本発明のこれらのおよび他の実施形態および態様は、以下の説明、図面および添付の特許請求の範囲によってより詳細に理解されるであろう。
【図面の簡単な説明】
【００３６】
【図１】本発明の一実施形態により構成された通信ネットワークの選択された構成要素を示す。
【図２】本発明の一実施形態による、ユーザ機器デバイスにおいてダウンリンク・ペイロード・データを受信するため、受信されたデータ中のユーザ間干渉を低減するためのプロセスの選択されたステップを示す。
【図３】本発明の実施形態による、複数のＨＳＤＰＡ対応のユーザ機器デバイスへの符号割当ておよび変調技術を記述する制御データを備えるデータ部分および共通ＩＤでマスクされたＣＲＣ部分を含むパケットを示す。
【図４】ＨＳＤＰＡペイロード・データおよび共通ＩＤでマスクされた制御情報をユーザ機器デバイスに伝送するプロセスの選択されたステップを示す。
【図５】本発明の実施形態による、ＱＰＳＫ／１６ＱＡＭ符号区分における限定している変形例の一例を示す。
【発明を実施するための形態】
【００３７】
本明細書では、用語「実施形態」、「変形例」および同様の表現が、特定の装置、プロセス、または製品を指すために使用されるが、必ずしも同一の装置、プロセス、または製品である必要はない。したがって、ある場所または文脈で使用される「一実施形態」（または同様の表現）は、特定の装置、プロセスまたは製品を指すことがある。異なる場所での同一または同様の表現が異なる装置、プロセスまたは製品を指すこともある。表現「代替の実施形態」および同様の語句は、多数の異なる想定される実施形態の１つを指すために使用される。想定される実施形態の数は、必ずしも２つまたはいずれかの他の数量に限定されない。
【００３８】
用語「例示的」は、本明細書では、「例、実例または例証として機能する」を意味するために使用される。「例示的」と本明細書で説明されるいずれの実施形態も必ずしも、他の実施形態に対して好ましいまたは有利であると解釈されるべきでない。本明細書に説明されている実施形態のすべては、当業者が本発明を製造または使用することを可能にするために提供される例示的な実施形態であるが、特許請求の範囲およびこれらの均等物により規定される、本発明に提供された法的保護の範囲を制限しない。
【００３９】
基地送受信局（「ＢＴＳ」）および基地局コントローラ（「ＢＳＣ」）は、「無線ネットワーク」、「ＲＮ」、「アクセス・ネットワーク」または「ＡＮ」と呼ばれるネットワークの一部である。基地局コントローラは、また無線ネットワーク・コントローラまたは「ＲＮＣ」と称される。無線ネットワークは、ＵＴＲＡＮまたはＵＭＴＳ地上無線アクセス・ネットワークである。無線ネットワークは、複数のユーザ機器デバイス間でデータ・パケットを輸送する。無線ネットワークは、さらに、企業イントラネット、インターネットまたは従来の公衆交換電話ネットワーク（「ＰＳＴＮ」）といった、無線ネットワークの外部の別のネットワークに接続されており、各ユーザ機器デバイスとこのような外部ネットワーク間でデータ・パケットを輸送する。
【００４０】
「専用ＩＤ」は、ユーザ機器デバイスの固有の識別子を指す。制御情報は、制御情報のＣＲＣ（またはチェックサムといったいくつかの別のタイプのエラー検出情報）がデバイスの専用ＩＤを用いてマスクされる（またはマスクが外される）ように、専用ＩＤと関連付けられたユーザ機器デバイスに伝送される。さらに詳細に以下に説明されるとおり、専用ＩＤを使用して伝送される制御情報は、専用ＩＤと関連付けられたデバイスのみ対象とする。「共通ＩＤ］は、セルまたはサイト内で複数のＨＳＤＰＡ対応のユーザ機器デバイス、例えば、同じ高速ダウンリンク共有チャネル上で任意のＴＴＩの間にＨＳＤＰＡダウンリンク伝送を受信するようにスケジュールされたすべてのＨＳＤＰＡ対応のデバイスに伝送される制御情報をマスクする（およびマスクを外す）ために使用される識別子を指す。制御情報は、制御情報のＣＲＣ（またはチェックサムといったいくつかの他のタイプのエラー検出情報）がデバイスには既知である共通ＩＤを用いてマスクされる（およびマスクを外される）ように、ユーザ機器デバイスに伝送される。さらにより詳細に以下に説明されるとおり、共通ＩＤ制御情報は、ＨＳＤＰＡ対応のデバイスがユーザ間干渉の抑制を強化するためにそれぞれの等化器を設定することを可能にするように意図されたデータを含む。
【００４１】
図１は、無線基地送受信局１２０Ａ、１２０Ｂおよび１２０Ｃに接続された無線ネットワーク・コントローラ１１０を含む、通信ネットワーク１００の選択された構成要素を示す。基地送受信局１２０は、対応する無線接続１４０Ａから１４０Ｅを介してユーザ機器デバイス１３０Ａ、１３０Ｂ、１３０Ｃおよび１３０Ｄと通信する。無線ネットワーク・コントローラ１１０は、電話交換機１６０を介して公衆交換電話ネットワーク１５０およびパケット・データ・サーバ・ノード（「ＰＤＳＮ」）１８０を介してパケット交換ネットワーク１７０と接続されている。無線ネットワーク・コントローラ１１０およびパケット・データ・サーバ・ノード１８０といった、様々なネットワーク要素間のデータ交換は、任意の数のプロトコル、例えば、インターネット・プロトコル（「ＩＰ」）、非同期転送モード（「ＡＴＭ」）プロトコル、Ｔ１、Ｅ１、フレーム・リレーおよび他のプロトコルを使用して実現できる。
【００４２】
図示された実施形態では、通信ネットワーク１００は、ユーザ機器（ＵＥ）デバイス１３０にデータ通信サービスおよび携帯電話サービスの両方を提供する。代替の実施形態では、通信ネットワーク１００は、データ・サービスのみを提供する。
【００４３】
複数のまたはすべてのＵＥ１３０は、同一のセルまたはサイト中にあり得る、または各ＵＥ１３０は、別のセルまたはサイトにあり得る。
【００４４】
また、移動局または加入者局としても知られているユーザ機器デバイス１３０は、無線電話、無線モデム、ＰＤＡ、無線ローカル・ループ装置、ＰＣカード、外部または内部モデムおよび他の通信デバイスを含む。通常のユーザ機器デバイス、例えば、ユーザ機器デバイス１３０Ａは、受信機回路１３１、送信機回路１３２、符号器１３３、復号器１３４、等化器１３５、プロセッサ１３６およびメモリデバイス１３７を含む。いくつかの変形例では、受信機回路は、最小平均二乗誤差（「ＭＭＳＥ」）構造を起動し、等化器は、判定帰還（「ＤＦ」）フィルタを含む。受信機、送信機、符号器、復号器および等化器は、メモリデバイスに格納された符号を実行するプロセッサによって設定される。各ユーザ機器デバイス１３０は、上述の無線パケット伝送プロトコルといった少なくとも１つの伝送プロトコルを使用してデータを通信するように構成される。ユーザ機器デバイス１３０は、図１に示されているとおり、通信チャネル１４０Ａから１４０Ｅを介して基地送受信局１２０と通信する。各通信チャネル１４０は、対応するユーザ機器デバイス１３０に対する順方向リンクおよび逆方向リンクの両方を含む。
【００４５】
各基地送受信局１２０は、１つまたは複数の無線受信機（例えば、ＢＴＳ１２０Ａの受信機１２１Ａ）、１つまたは複数の無線送信機（例えば、ＢＴＳ１２０Ａの送信機１２２Ａ）、無線ネットワーク・コントローラ・インタフェース（例えば、インタフェース１２３Ａ）、メモリ（例えばメモリ１２４Ａ）、プロセッサ（例えば、プロセッサ１２５Ａ）および符号器／復号器回路（例えば、符号器／復号器回路１２６Ａ）を含む。各基地送受信局の受信機／送信機ペアは、ＢＴＳのメモリに保存されるプログラム符号の制御下で動作する該局のプロセッサにより構成され、ユーザ機器デバイスにデータ・パケットを送り、ユーザ機器デバイス１３０と順方向および逆方向リンクを確立してユーザ機器デバイスからデータ・パケットを受信する。データ・サービスの場合には、例えば、基地送受信局１２０は、パケット・データ・サーバ・ノード１８０および無線ネットワーク・コントローラ１１０を介してパケット交換ネットワーク１７０から順方向リンク・データ・パケットを受信し、ユーザ機器デバイス１３０にこれらのパケットを伝送する。基地送受信局１２０は、ユーザ機器デバイス１３０から発生する逆方向リンク・データ・パケットを受信し、無線ネットワーク・コントローラ１１０およびパケット・データ・サーバ・ノード１８０を介してパケット交換ネットワーク１７０にこれらのパケットを転送する。電話サービスの場合には、基地送受信局１２０は、電話交換機１６０および無線ネットワーク・コントローラ１１０を介して電話ネットワーク１５０から順方向リンク・データ・パケットを受信し、ユーザ機器デバイス１３０にこれらのパケットを伝送する。ユーザ機器デバイス１３０において発せられる音声搬送パケットは、基地送受信局１２０で受信され、無線ネットワーク・コントローラ１１０および電話交換機１６０を介して電話ネットワーク１５０に転送される。
【００４６】
いくつかの代替の実施形態では、各ＢＴＳの送信機および受信機は、個別のプロセッサを有する。
【００４７】
無線ネットワーク・コントローラ１１０は、基地送受信局１２０に対する１つまたは複数のインタフェース１１１、パケット・データ・サーバ・ノード１８０に対するインタフェース１１２、電話交換機１６０に対するインタフェース１１３を含む。インタフェース１１１、１１２および１１３は、メモリデバイス１１５に格納されるプログラム符号を実行する１つまたは複数のプロセッサ１１４の制御下で動作する。
【００４８】
図１に示されているとおり、ネットワーク１００は、１つの公衆交換電話ネットワーク、１つのパケット交換ネットワーク、１つの基地局コントローラ、３つの基地送受信局および４つのユーザ機器デバイスを含む。当業者であれば、本明細書を読んだ後に、本発明の態様による代替の実施形態は、任意の特定の数のこれらの構成要素に限定される必要はないことを理解するであろう。例えば、いくつかの実施形態では、より少ない数またはより多くの数の基地送受信局およびユーザ機器デバイスが含まれてもよい。さらに、通信ネットワーク１００は、１つまたは複数の別の通信ネットワーク、例えば多数の無線ユーザ機器デバイスを有する第２無線通信ネットワークに、ユーザ機器デバイス１３０を接続することができる。
【００４９】
従来および特定の実施変形例に応じて、基地送受信局１２０は、他の形式を取ってもよく、ノード−Ｂまたは基地局システム（ＢＳＳ）といった他の名称により称されこともある。同様に、無線ネットワーク・コントローラ１１０は、他の形式を取ってもよく、基地局コントローラ、移動交換センタまたは取り扱っているＧＰＲＳサポートノードといった、他の名称により称されることもある。本発明の範囲は、これらおよび同様の無線通信システム構成要素に及ぶ。
【００５０】
ＨＳＤＰＡ動作に焦点を当てると、ユーザ機器デバイス１３０に対するダウンリンク伝送は、１５の利用可能なＨＳＤＰＡ  ＯＶＳＦ符号を使用するそれぞれの伝送時間インターバルに対してスケジュールされる。所定のＴＴＩに対して、各ユーザ機器デバイス１３０は、ＴＴＩの間にデバイスに割当てられるダウンリンク帯域幅に応じて、１５のＨＳＤＰＡ符号の１つまたは複数を使用することができる。先に述べたとおり、各ＴＴＩに対して、制御情報は、ユーザ機器デバイスに、デバイスにダウンリンク・ペイロード・データ（無線ネットワークの制御データ以外のデータ）を送るために使用される符号空間内の符号と、ダウンリンク・ペイロード・データの伝送に使用される変調とを示す。さらに、ダウンリンク・データを受信するようにスケジュールされた各ユーザ機器デバイスはまた、セルまたはサイトにおいて他のユーザ機器デバイス（例えば、Ｗ−ＣＤＭＡ仕様で定義されるノード−Ｂといった）に対する符号割当ておよび割当てられた変調技術に関する制御情報を送られる。
【００５１】
さらに詳細には、無線ネットワークは、割当てられる巡回冗長検査（「ＣＲＣ」）ブロックと共に、デバイスに、特定のユーザ機器デバイス（例えばＵＥ１３０Ａ）に対する符号割当ておよび割当てられる変調技術に関する制御情報を送る。ＣＲＣブロックは、制御情報パケットに対して１６ビットＣＲＣを計算した後、計算されたＣＲＣおよび制御情報が対象とするユーザ機器デバイスの固有の１６ビットＩＤに排他的論理和（ＸＯＲ）演算を実行することにより、得られる。その結果、ＵＥ１３０Ａを対象とする各制御情報パケットの１６ビットＣＲＣは、ＵＥ１３０Ａの固有の１６ビットＩＤを用いてマスクされる。ＵＥ１３０Ａは、ＣＲＣのマスクを外し、符号割当ておよび関連付けられる変調技術に関する制御情報の完全性を検証し、この制御情報に従って、ＵＥ１３０Ａを対象とするダウンリンク・ペイロードＨＳＤＰＡデータを受信するためにＵＥ１３０Ａ自体を設定する。
【００５２】
無線ネットワークは、また、ＨＳＤＰＡ対応のＵＥ（例えばＵＥ１３０Ａ）に追加の制御情報を送る。追加の制御情報は、他のＨＳＤＰＡ対応のＵＥに対する符号割当ておよび割当てられる変調技術に関する情報を含み、そのため各ＨＳＤＰＡ対応のＵＥは、この追加の制御情報に従って自身の等化器を設定できる。
【００５３】
図２は、ダウンリンク・ペイロード・データをユーザ機器デバイス１３０Ａで受信し、受信されたデータ内のユーザ間干渉を低減するプロセス２００の選択されたステップを示す。フロー点２０１では、ＵＥ１３０Ａは、無線ネットワークを捕捉し、基地送受信局、例えばＢＴＳ１２０Ａから通信を受信できる状態にある。ステップ２０５では、ＵＥ１３０Ａは、無線ネットワークから、特定のＴＴＩ、例えば直後に次に続くＴＴＩまたはこの制御情報が受信される間のＴＴＩと既知の時間関係にある別のＴＴＩに対する、ＨＳＤＰＡダウンリンク伝送に対してＵＥ１３０Ａに割当てられるＯＶＳＦ符号に関する制御情報を受信する。（便宜上、ＵＥ自体の符号割当ておよび関連する変調技術に関する情報は、「タイプ１の制御情報」または「第１タイプの制御情報」と称される）。この制御情報は、高速共有制御チャネル上で受信される。
【００５４】
ステップ２１０では、ＵＥ１３０Ａは、受信されるタイプ１制御情報のＣＲＣのマスクを外すするためにＵＥ自体の専用ＩＤを使用する。
【００５５】
ステップ２１５では、ＵＥ１３０Ａは、受信されるタイプ１制御情報の完全性を検証する。
【００５６】
ステップ２２０では、ＵＥ１３０Ａは、同一ＴＴＩの間に他のＵＥへのＨＳＤＰＡ伝送に対する符号割当ておよび割当てられる変調技術に関する制御情報を受信する。（便宜上、他のＵＥへのＨＳＤＰＡ伝送に対する符号割当ておよび割当てられる変調技術に関する制御情報は、「タイプ２制御情報」または「第２タイプの制御情報」と称される）。この情報もまた高速共有制御チャネル上で受信される。
【００５７】
ステップ２２５では、ＵＥ１３０Ａは、同一ＴＴＩの間にペイロード・データを受信するようにＵＥ自体を設定する。例えば、ＵＥ１３０は、ＨＳＤＰＡ符号またはＴＴＩに対してこのＵＥ１３０に割当てられる符号を使用して受信される信号を復号するように、およびＴＴＩの間にＵＥ１３０Ａに割当てられる符号に対して効力がある変調技術の必要条件に従って復号されるデータを復調するように、ＵＥ自体を設定する。
【００５８】
ステップ２３０では、ＵＥ１３０Ａは、同一ＴＴＩの間の他のＵＥへのＨＳＤＰＡ伝送に対する符号割当ておよび割当てられる変調技術に関する制御情報を使用して、この取り扱っている基地送受信局または１つまたは複数の取り扱っていないＢＴＳから、または両方から受信されるユーザ間干渉を含む干渉を低減するように、自身の等化器を設定する。ＵＥ１３０Ａは、非ＨＳＤＰＡ伝送に関する既知の情報を使用することもでき、通常使用することに留意すべきである。いくつかのシステムでは、すべての非ＨＳＤＰＡ伝送（例えば、リリース１９９９符号を使用する伝送）は、ＱＰＳＫ変調を使用して行われる。したがって、ＵＥ１３０Ａは、非ＨＳＤＰＡ伝送のために使用される変調情報の知識を有し、この等化器を設定するために、タイプ２制御情報に加えて、この情報を使用する。等化器は、特に、ペイロード・データを受信するために使用される受信機が最小平均二乗誤差基準を呼び出す場合、判定帰還フィルタを含む。等化器はまた、この取り扱っている基地送受信局以外から受信される推定のオーバーヘッドおよび／またはユーザ・データ信号の減算といった、他の干渉除去技術を利用できる。
【００５９】
ステップ２３５では、ＵＥ１３０Ａは、ＴＴＩの間の、ＵＥに割当てられる符号上でＨＳＤＰＡダウンリンク・ペイロード・データ伝送を受信する。ペイロード・データは、高速ダウンリンク共有チャネル上で受信される。
【００６０】
ステップ２４０では、ＵＥ１３０Ａは、受信されたＨＳＤＰＡ伝送を復号して、復号データを得る。
【００６１】
ステップ２４５では、ＵＥ１３０Ａは、ステップ２３０で設定された等化器設定を使用して復号されたデータを等化する。データの等化は、例えば、ＵＥ１３０Ａを取り扱っている基地送受信局から受信される干渉を含む（しかしこれに限定されない）様々な発生源から受信される干渉を低減することを含む。プロセス２００は、その後、フロー点２９９で終了する。しかし、通常、プロセス２００は、ＵＥ１３０Ａに対してスケジュールされるＨＳＤＰＡ伝送が存在する限り、後続のＴＴＩに対して繰返されることに留意すべきである。
【００６２】
１つの変形例では、他のユーザ機器デバイス（例えば、ＵＥ１３０Ｂ、１３０Ｃおよび１３０Ｄ）に対する制御情報は、制御情報が他のＵＥに送られるとＵＥ１３０Ａに対して読み取り可能にされ、したがって、ＵＥ１３０Ａは、自身の等化器を設定するためにこの情報を使用できる。例えば、無線ネットワークは、ＵＥ１３０Ａに他のＵＥのＩＤを送り、これによりＵＥ１３０Ａは、他のＵＥを対象とする制御情報のマスクを外すことができる。しかし、この方法は、ＵＥ１３０Ａの情報を利用可能にするが、その情報はＵＡの等化器を設定することおよびユーザ間干渉を低減することに対してほとんど無意味である。このような不必要な情報は、例えばブロックおよびパケットサイズを含むことがある。さらに、すべての他のＨＳＤＰＡ対応のＵＥに対する制御情報のすべての読み取りは、リソース集約的であり、またプライバシーの理由のため望ましくない。
【００６３】
別の変形例では、各ＨＳＤＰＡ対応のＵＥ（例えばＵＥ１３０Ａ）は、専用ＩＤに加えて共通ＩＤを割当てられる。共通ＩＤは、セルまたはサイト（ノード−Ｂ）においてすべてのＵＥに対して同一である。さらに、共通ＩＤは、セルのグループまたは無線ネットワーク全体においてすべてのＵＥに対して同一であってもよく、これにより、取り扱っているセルを変更しているＵＥへの新しい共通ＩＤを通信する必要性に関連する信号方式オーバーヘッドを低減する。無線ネットワーク（例えば、基地送受信局１２０Ａ）は、高速共有制御チャネル上でのＨＳＤＰＡ  ＯＶＳＦ符号割当ておよび割当てられる変調技術を指示する。符号割当ておよび変調情報は、制御情報が専用のＵＥのＩＤを使用して伝送されるのと同様の方法で伝送される。これは、図３に示されており、図３は、データ部分３０５およびＣＲＣ部分３１０を含むパケット３００を示す。
【００６４】
データ部分３０５は、すべてのＨＳＤＰＡ符号に対する符号割当ておよび変調技術を記述する制御データを含む。ＣＲＣ部分は、パケットのＣＲＣを計算することにより、そして次に共通ＩＤを用いてマスクする（例えば、排他的論理和演算する）ことにより導き出される。ＵＥは、その後受信されるパケットのＣＲＣを計算し、共通ＩＤを使用してＣＲＣのマスクを外し、受信されるパケット内の制御データの完全性を検証する。受信パケット内の制御データと関連するＴＴＩの間にＨＳＤＰＡ伝送を受信するようにスケジュールされた各ＵＥは、その後、他のＨＳＤＰＡ  ＵＥの符号割当ておよび変調に関する情報を含む制御データに従って等化器を設定する。
【００６５】
専用制御データ（専用ＩＤを使用して伝送される個別のＵＥに対するタイプ１制御データ）の場合と同様に、共通ＩＤを使用する制御データは、その時間内でＨＳＤＰＡダウンリンク伝送がスケジュールされる各ＴＴＩに対して、高速共有制御チャネル上で送られる。このような各ＴＴＩに対して、ＵＥは、それぞれ専用および共通ＩＤを使用して、専用制御情報および共通制御情報の両方を復号する。
【００６６】
より特定の変形例では、ＨＳＤＰＡ符号割当ては、同一変調技術を備えるすべての符号が連続するように行われる。連続とは、符号が隙間なくある順序に関して連続的に配列されることを意味する。ここで使用される順序は、符号ツリーの順序であってもよく、例えば、左から右または右から左であってもよい。一般には、特定の順序は、順序が無線ネットワークおよびＵＥの両方に対して既知である限り重要ではない。例えば、任意の方法で１５のＨＳＤＰＡ  ＯＶＳＦ符号に１から１５の番号を付けられ、これらの符号のそれぞれはＣｎを指定する。ここで、ｎは１から１５の数内の符号Ｃｎの位置を定義する数である。Ｍ（Ｍ≦１５）個の符号が、特定のＴＴＩの間にＱＰＳＫ変調伝送を受信するようにスケジュールされるＵＥに対して必要とされる場合、これらのＵＥは、ｎ＝１からｎ＝Ｍの連続する符号Ｃｎを割当てられることができる。このとき、１６ＱＡＭ変調伝送を受信するようにスケジュールされるＵＥは、ｎ＞Ｍ個の符号Ｃｎを割当てられることができる（言うまでも無く、符号の割当ては、１６ＱＡＭ  ＵＥをより低い数の符号に割当てることで、逆にすることができる）。この方法では、他のＵＥのＨＳＤＰＡ符号割当ておよび変調に関する各ＨＳＤＰＡ対応のＵＥを通知するために伝送される必要があるビットが少ないほど、電力消費、帯域幅および他のリソースに対する追加の必要性を低減する。
【００６７】
２つの変調技術のみがこの変形例では使用されるため、符号割当てに関する情報は、４つの数、すなわち、（１）ＱＰＳＫ符号に対する符号ツリーにおける開始点、（２）ＱＰＳＫ符号の数、（３）１６ＱＡＭ符号に対する符号ツリーにおける開始点、および（４）１６ＱＡＭ符号の数、として伝送できる。合計１５のＨＳＤＰＡ符号が存在するため、これらの数のそれぞれは４ビットで表される。したがって、合計１６ビットがこの場合では必要とされる。
【００６８】
一定の制約下では、情報は、８ビットを使用して伝達できることに留意すべきである。例えば、第１符号または割当てられた符号がＱＰＳＫ変調に対してであると、ＵＥは仮定する。次に、４ビットを用いて、ゼロから１５の間であるＱＰＳＫ符号の数が示される。順序における次の連続符号は、１６ＱＡＭ変調伝送に対して割当てられる。１６ＱＡＭ符号の数もまたゼロから１５の間であり、この数は、４以上のビットにより示される。
【００６９】
これらの方式は、３またはそれ以上の変調技術を同時に使用できる場合、論理的に拡張できる。
【００７０】
図４は、上述のとおり、ＨＳＤＰＡペイロード・データおよび共通ＩＤを使用する制御情報をＵＥ１３０に伝送するプロセス４００の選択されたステップを示す。方法４００は、フロー点４０１から始まりフロー点４９９で終了する。この方法は、ＢＴＳ１２０Ａなどの基地送受信局で実行される。
【００７１】
ステップ４０５では、ＢＴＳ１２０Ａは、所定のＴＴＩの間の伝送に対して、１５の利用可能なＨＳＤＰＡ符号のうちからＱＰＳＫ変調データに対する符号の数（Ｍ）を決定する。これらの符号の数は、例えば、ＢＴＳ１２０Ａにより取り扱われる地域の範囲内でのＵＥのダウンリンク負荷需要、ＵＥと関連する信号の特質、特定のＵＥに対するサービス要求の質、ならびに他の要因に依存する。
【００７２】
ステップ４１０では、ＢＴＳ１２０Ａは同一ＴＴＩの間の伝送に対する１６ＱＡＭ変調データについての符号の数（Ｎ）を決定する。これらの符号の数は、ステップ４０５における符号の割当てに関するものと同一要因に依存することがある。ステップ４０５および４１０で割当てられる符号の数の合計（Ｍ＋Ｎ）は、ＨＳＤＰＡサービスに対して利用可能である符号の合計数を超過してはならないことが理解されなければならない。さらに、実際には、ステップ４０５および４１０は同時に実行される。
【００７３】
ステップ４１５では、ＢＴＳ１２０Ａは順次、ＴＴＩの間にＱＰＳＫ変調ＨＳＤＰＡデータを受信するようにスケジュールされたＭ個の符号をＵＥに割当てる。この割当ては、符号ツリーにおいて１からＭまで連続的になされる。ＴＴＩの間にＱＰＳＫ変調データがスケジュールされない（Ｍ＝０）場合、符号がＱＰＳＫに対して割当てられる必要はない。
【００７４】
ステップ４２０では、ＢＴＳ１２０Ａは、ＴＴＩの間に１６ＱＡＭ変調ＨＳＤＰＡデータを受信するようにスケジュールされたＮ個の符号をＵＥに割当てる。この割当ては、ステップ４１５でＱＰＳＫに対する符号の割当ての後に利用可能である第１符号から連続的に行われ、すなわち、（Ｍ＋１）符号から開始する。ＴＴＩの間の伝送に対して１６ＱＡＭデータがスケジュールされない（Ｎ＝０）場合、符号が１６ＱＡＭに対して割当てられる必要はない。
【００７５】
ステップ４２５では、ＢＴＳ１２０Ａは、共通ＩＤを使用して伝送されるためにパケット３００の（図３に示されている）データ部分３０５を生成する。ここで、データ部分は長さ１６ビットであり、ＱＰＳＫ変調データに対する第１符号、ＱＰＳＫ変調データに対する符号の数、１６ＱＡＭ変調データに対する第１符号および１６ＱＡＭ変調データに対する符号の数を含むことができる。
【００７６】
ステップ４３０では、ＢＴＳ１２０Ａはパケット３００のＣＲＣ部分３１０を生成する。例えば、ＢＴＳ１２０Ａは、データ部分３０５のＣＲＣを計算し、共通ＩＤ（これは既にＢＴＳ１２０Ａまたは別のネットワーク構成要素によりある早い時間にＵＥに伝送されている）を使用してこのＣＲＣをマスクする。
【００７７】
ステップ４３５では、ＢＴＳ１２０Ａは、データ部分およびＣＲＣ部分の両方を含むパケットを、ＨＳ−ＳＣＣＨ上でＵＥ１３０に伝送する。
【００７８】
ステップ４４０では、ＢＴＳ１２０Ａは、ＴＴＩの間にＨＳＤＰＡデータを受信するようにスケジュールされたＵＥ１３０のそれぞれに専用制御情報を伝送する。各ＵＥ１３０に対する専用制御情報は、ＵＥ１３０に割当てられる符号および符号と関連付けられる変調を含む。すべに述べたとおり、専用制御情報は、特定のＵＥ１３０専用であるＩＤを使用してＨＳ−ＳＣＣＨ上で伝送される。
【００７９】
ステップ４４５では、ＢＴＳ１２０Ａは、以前のステップで決定された符号割当てを使用して、ＨＳＤＰＡペイロード・データをＵＥ１３０に伝送する。この伝送は、ＴＴＩの間に実行される。
【００８０】
共通ＩＤ制御情報に対して比較的小さい数のビットが使用されたとしても、リソースを消費する。これらの追加リソースに対する必要性を低減するために、１つの変形例では、ＨＳＤＰＡ符号をＱＰＳＫ符号および１６ＱＡＭ符号に区分することは、１つのＴＴＩから次のＴＴＩに変更するようには許可されない。代わりに、所定の数のＴＴＩの後にだけ変更することが許可される。例えば、分割が、６個のＱＰＳＫおよび９個の１６ＱＡＭ符号が１つのＴＴＩに対して割当てられるような分割である場合、分割がそれ以外に変化する信号強度および負荷条件のような変化する状態に応じて変更される場合であっても、無線ネットワークは、強制的にこの分割を、次のＴＴＩおよび恐らく１つまたは複数の後続のＴＴＩに連続させる。１つの特定の変形例では、分割は１０ミリ秒毎に、すなわち５ＴＴＩ毎に１回、変更することを許可される。
【００８１】
これは図５に示されており、この図では、グラフの横軸が時間を表し、縦軸がＨＳＤＰＡ対応のＵＥ Ａ〜Ｅまでに対する符号割当てを表す。第１のＴＴＩには、６つのＱＰＳＫ符号および９つの１６ＱＡＭ符号が割当てられる。すべてのＱＰＳＫ符号（１−６）はＵＥ  Ａに対して割当てられ、一方、１６ＱＡＭ符号の割当てはＵＥ ＣとＤの間で分割されている。次のＴＴＩ（すなわち第２ＴＴＩ）では、６つのＱＰＳＫから９つの１６ＱＡＭの符号の区分は維持され、すべてのＱＰＳＫ符号は依然としてＵＥ Ａに割当てられている。しかし、１６ＱＡＭ符号はこのときＵＥ Ｂ、ＣとＤの間で分割されている。第３から第５のＴＴＩの間では、ＱＰＳＫ／１６ＱＡＭの区分は連続して維持されるが、異なる数の符号が異なるＵＥに割当てられる。第６番目のＴＴＩにおいてだけ、ＨＳＤＰＡ符号の区分は変化するネットワーク状態に応じて変更を許可される。この例は言うまでも無く、単に例として与えられている。特定の符号区分、割当ておよびこれらにおける変更は変えることができる。
【００８２】
様々な方法のステップが本開示では順次記載されているが、これらのステップのいくつかは、一緒にまたは平行に、非同期的または同期的に、パイプライン方式または他の方式で、個別の要素により実行されてもよい。明確に示されているか、別に文脈から明らかであるか、または本質的に要求される場合を除いて、これらステップは、本開示が列挙するのと同一順序で実行されることを特に必要条件にしない。さらに、すべての示されたステップが、本発明によるすべての実施形態において必要とされるわけではなく、特に示されていないいくつかのステップが、本発明によるいくつかの実施形態では望ましい場合もある。
【００８３】
当業者であれば、情報および信号が、様々な異なる技術および技法のいずれかを使用して表すことができることは理解されるであろう。例えば、上述の説明全体を通して参照される、データ、命令、コマンド、情報、信号、ビット、記号およびチップは、電圧、電流、電磁波、磁界または磁性粒子、光場または光学粒子またはこれらのいずれかの組み合わせにより表すことができる。
【００８４】
さらに当業者であれば、本明細書に開示された実施形態に関して説明された様々な例示の論理ブロック、モジュール、回路およびアルゴリズムのステップが、電子ハードウェア、コンピュータ・ソフトウェアまたは両方の組み合わせとして実現できることは理解されるであろう。ハードウェアおよびソフトウェアのこの互換性を明瞭に示すために、様々な例示の構成要素、ブロック、モジュール、回路およびステップが、機能性の観点から全体的に説明されている。このような機能性がハードウェア、ソフトウェアまたはハードウェアとソフトウェアの組み合わせとして実現されるかどうかは、全体的なシステムに課された固有の用途および設計の制約に依存する。当業者は、各固有の用途に対して様々な方法で本明細書に説明された機能を具体化できるが、このような具体化の決定は本発明の範囲からの逸脱を引き起こすと解釈されるべきではない。
【００８５】
本明細書に説明された実施形態に関する様々な例示の論理ブロック、モジュールおよび回路は、汎用プロセッサ、ディジタル信号プロセッサ（「ＤＳＰ」）、特定用途向けＩＣ（「ＡＳＩＣ」）、書替え可能ゲートアレイ（「ＦＰＧＡ」）または他のプログラム可能な論理デバイス、ディスクリート・ゲートまたはトランジスタ論理回路、ディスクリート・ハードウェア構成要素、または本明細書に説明された機能を実行するように設計された、これらのいずれかの組み合わせを用いて実現または実行される。汎用プロセッサは、マイクロプロセッサであってもよいが、代替として、プロセッサは任意の従来のプロセッサ、コントローラ、マイクロコントローラまたはステート・マシーンであってもよい。プロセッサはまた、計算デバイスの組み合わせ、例えばＤＳＰおよびマイクロプロセッサの組み合わせ、複数のマイクロプロセッサ、ＤＳＰコアと組み合わせた１つまたは複数のマイクロプロセッサ、または任意の他のこのような構成として実現される。
【００８６】
本明細書に開示された実施形態に関して説明された方法およびアルゴリズムのステップは、ハードウェア、プロセッサにより実行されるソフトウェアモジュール、またはこれらの２つの組み合わせで直接具体化できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたは技術的に既知の任意の他の形式の記憶媒体内に存在してもよい。例示的な記憶媒体は、プロセッサが情報を記憶媒体から読み取り、情報を書き込むようにプロセッサに接続される。代替では、記憶媒体はプロセッサに組み込むこともできる。プロセッサおよび記憶媒体はＡＳＩＣ内に存在してもよい。ＡＳＩＣはユーザ機器デバイス内に存在してもよい。代替として、プロセッサおよび記憶媒体は、ユーザ機器デバイス内にディクリート構成要素として存在してもよい。
【００８７】
開示された実施形態のこれまでの説明は、いずれの当業者にも本発明を実現または使用可能にするように提供されている。これらの実施形態に対する様々な変更形態が当業者には容易に明らかであり、本明細書に定義された包括的な原理は本発明の精神または範囲を逸脱することなく他の実施形態に適用できる。したがって、本発明は、本明細書に示された実施形態に限定されることを意図するものでなく、本明細書に開示された原理および新規特徴に整合する最も広い範囲に一致するものとする。
【図１】
2011151844.tif 000003
【図２】
2011151844.tif 000004
【図３】
2011151844.tif 000005
【図４】
2011151844.tif 000006
【図５】
2011151844.tif 000007
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
無線ネットワークから複数のユーザ機器デバイスにデータを伝送する方法であって、前記方法は、
伝送時間インターバル（ＴＴＩ）に関する第１タイプの制御情報を前記無線ネットワークから前記複数のユーザ機器デバイスの第１ユーザ機器デバイスに伝送することと、ここにおいて、前記第１タイプの制御情報は前記ＴＴＩの間の前記第１ユーザ機器デバイスへのペイロード・データの伝送の符号割当ておよび変調技術の指示を備え、
前記無線ネットワークから少なくとも前記第１ユーザ機器デバイスにメッセージを送ることとを具備し、ここにおいて、前記メッセージは第２タイプの制御情報を備え、前記第２タイプの制御情報は前記ＴＴＩの間に前記複数のユーザ機器デバイスの少なくとも第２ユーザ機器デバイスへのペイロード・データの伝送の符号割当ておよび変調技術に関する情報を備え、前記第２ユーザ機器デバイスは前記第１ユーザ機器デバイスとは異なる、ことを特徴とする方法。
【外国語明細書】
2011151844000001.pdf